(57)【要約】【課題】高齢者や子供などの指の力が弱い者であっても、指がずれず、容易に開けることができるキャップを提供する。【解決手段】複数の滑り止め用の突起部１３が、内周にめねじが設けられたキャップ本体１１の高さ方向に伸びるようキャップ本体１１の側面に設けられている。各突起部１３は、中間部１３ａからキャップ本体１１の下端にかけて二股に分岐している。分岐した突起部１３は互いに周方向反対側に曲がっている。各突起部１３は、キャップ本体の上端および下端で側面と一致し、中間部にかけて徐々に高くなるよう突出している。各突起部１３は、厚みが中間部１３ａからキャップ本体１１の上端および下端にかけて徐々に薄くなっている。各突起部１３は、キャップ本体１１の上端から下端まで滑らかに湾曲している。各突起部１３は、キャップ本体１１の周囲に等間隔で設けられている。【選択図】図１
0003172698.tif 000002
【実用新案登録請求の範囲】
【請求項１】
内周にめねじが設けられたキャップ本体の側面に滑り止め用の突起部を有し、前記突起部は前記キャップ本体の高さ方向に伸びて中間部から上端または下端にかけて二股に分岐し、分岐した前記突起部は互いに周方向反対側に曲がっていることを特徴とするキャップ。
【請求項２】
前記突起部は、前記キャップ本体の上端および下端で前記側面と一致し、前記中間部にかけて徐々に高くなるよう突出していることを特徴とする請求項１記載のキャップ。
【請求項３】
前記突起部は、厚みが前記中間部から前記キャップ本体の上端および下端にかけて徐々に薄くなっていることを特徴とする請求項１または２記載のキャップ。
【請求項４】
前記突起部は、側面が前記キャップ本体の上端から下端まで滑らかに湾曲していることを特徴とする請求項１、２または３記載のキャップ。
【請求項５】
前記キャップ本体は飲料用ペットボトルのキャップであって、前記突起部は前記キャップ本体の周囲に等間隔で複数設けられていることを特徴とする請求項１、２、３または４記載のキャップ。
【考案の詳細な説明】
【技術分野】
【０００１】
本考案は、ペットボトルなどに使用されるキャップに関する。
【背景技術】
【０００２】
近年、飲料食品チュ−ブ等の容器に多様な大きさのキャップが使用されているが、いずれもキャップの固定部分に施されているミシン目からキャップを切り離すよう構成されている。このため、大人であっても手が濡れているとキャップが滑って瞬時には開けにくく、特に手の力のない高齢の女性や子供、手に障害のある者にとっては容易ではない。このため、従来、キャップの開閉を容易にするために、キャップに挟んで回すための器具や、キャップ本体の側周面に、滑り止め用のフィンを複数取り付けたペットボトルのキャップ（例えば、特許文献１参照）などが考案されている。
【先行技術文献】
【特許文献】
【０００３】
【特許文献１】実用新案登録第３１０９４４６号公報
【考案の概要】
【考案が解決しようとする課題】
【０００４】
回転式のキャップは、その場の状況に応じていつでも臨機かつ容易に、容器に入っている飲料水や調味料などを摂取できることが、最大の利点である。しかし、別器具を利用してキャップを開けるには、別器具を携帯する必要があるうえ、高齢者や子供などにとっては作業の複雑化、煩雑さを招くという課題があった。また、特許文献１に記載のキャップは、各フィンがキャップの上端から下端まで真っ直ぐに伸びて設けられているため、フィンに沿って指がずれ、キャップを開けにくいことがあるという課題があった。
【０００５】
本考案は、このような課題に着目してなされたもので、高齢者や子供などの指の力が弱い者であっても、力を加えやすく、容易に開閉することができるキャップを提供することを目的とする。
【課題を解決するための手段】
【０００６】
上記目的を達成するために、本考案に係るキャップは、内周にめねじが設けられたキャップ本体の側面に滑り止め用の突起部を有し、前記突起部は前記キャップ本体の高さ方向に伸びて中間部から上端または下端にかけて二股に分岐し、分岐した前記突起部は互いに周方向反対側に曲がっていることを特徴とする。
【０００７】
本考案に係るキャップは、ペットボトルなどの容器に使用される。本考案に係るキャップは、キャップ本体の側面に設けられた滑り止め用の突起部に指を掛けることにより、容易に開閉することができる。突起部がキャップ本体の中間部から上端または下端にかけて二股に分岐しているため、突起部の左右どちらからでも指が掛かりやすくなっている。このため、開けるときも閉めるときも、突起部に力を加えやすく、キャップ本体を回しやすい。このように、本考案に係るキャップは、高齢者や子供など手の力が弱い者であっても、力を加えやすく、容易に開閉することができる。
【０００８】
本考案に係るキャップは、突起部がキャップ本体に対する補強作用を有しており、キャップ本体の強度を高めることができる。本考案に係るキャップで、突起部は複数、特に３つまたはそれ以上から成ることが好ましい。突起部が３つから成って各突起部に親指、人差し指、中指を掛けられる場合、各指の力を同時にキャップ本体に伝えることができる。このため、より軽い力で効率良く開閉することができる。
【０００９】
本考案に係るキャップで、前記突起部は、前記キャップ本体の上端および下端で前記側面と一致し、前記中間部にかけて徐々に高くなるよう突出していることが好ましい。この場合、指の力を分散させずに、キャップ本体の中間部に集中させることができ、より容易に開閉することができる。また、キャップ本体の上端および下端で突起部は側面と一致し、突起部に隅角を有しないため、隅角による指の怪我を防止することができる。特に、ペットボトルのキャップに用いられて自動販売機で取出口に落下してきたとき、子供が取出口に手を入れていたとしても、キャップに隅角がないため、ひどいケガをさせにくく、また、突起部の破損を生じにくい。
【００１０】
本考案に係るキャップで、前記突起部は、厚みが前記中間部から前記キャップ本体の上端および下端にかけて徐々に薄くなっていることが好ましい。この場合、キャップ本体の中間部で突起部が厚くなっているため、指の力を分散させずに、キャップ本体の中間部に集中させることができ、より軽い力で開閉することができる。
【００１１】
本考案に係るキャップで、前記突起部は、側面が前記キャップ本体の上端から下端まで滑らかに湾曲していることが好ましい。この場合、突起部に指を掛けたとき、指が突起部の形状に沿ってぴったりと合いやすい。このため、キャップ本体を回しやすく、より容易に開閉することができる。
【００１２】
本考案に係るキャップで、前記キャップ本体は飲料用ペットボトルのキャップであって、前記突起部は前記キャップ本体の周囲に等間隔で複数設けられていることが好ましい。この場合、各突起部によりキャップ本体を均等に補強して強度を高めることができる。
【考案の効果】
【００１３】
本考案によれば、高齢者や子供などの指の力が弱い者であっても、力を加えやすく、容易に開閉することができるキャップを提供することができる。
【図面の簡単な説明】
【００１４】
【図１】本考案の実施の形態のキャップを示す（ａ）平面図、（ｂ）使用状態の正面図、（ｃ）左側面図である。
【考案を実施するための形態】
【００１５】
以下、図面に基づき本考案の実施の形態について説明する。
図１は、本考案の実施の形態のキャップを示している。
図１に示すように、キャップ１０は、飲料用ペットボトルなどの容器１に使用されるキャップ１０であり、キャップ本体１１と固定部１２と３つの滑り止め用の突起部１３とを有している。
【００１６】
キャップ本体１１は、内周にめねじが設けられており、口部の外周におねじが設けられた容器１の口部に着脱可能に取り付けられている。キャップ本体１１は、側面に上端から下端まで高さ方向に伸びる滑り止め用のギザギザの刻み目１１ａが形成されている。固定部１２は、リング状であって容器１の口部の根元に設けられている。固定部１２は、容器１の口部の外周より小径のため、口部から外れないようになっている。キャップ本体１１は、下端縁で固定部１２の上端縁にミシン目状の結合部により切り離し可能に設けられている。キャップ１０は、キャップ本体１１を左回りに回転させることにより、固定部１２からキャップ本体１１が切り離されて開栓可能である。
【００１７】
各突起部１３は、キャップ本体１１の高さ方向に伸びるよう、キャップ本体１１の側面に設けられている。キャップ本体１１の上端と下端との中間部１３ａから下端にかけて二股に分岐しており、その側面がキャップ本体１１の上端から下端まで滑らかに湾曲している。分岐した突起部１３は、互いに周方向反対側に曲がっている。各突起部１３は、キャップ本体１１の上端および下端で側面と一致し、中間部１３ａにかけて徐々に高くなるよう突出している。従って、各突起部１３は、キャップ本体１１の側面からの突出量が、キャップ本体１１の上端および下端で０で、中間部１３ａで最大となっている。また、各突起部１３は、厚みが中間部１３ａで最も厚く、中間部１３ａからキャップ本体１１の上端および下端にかけて徐々に薄くなり、上端および下端で０となっている。各突起部１３は、キャップ本体１１の周囲に等間隔で設けられている。
【００１８】
次に、作用について説明する。
キャップ１０は、キャップ本体１１の側面に設けられた各突起部１３に指を掛けることにより、容易に開閉することができる。各突起部１３がキャップ本体１１の中間部１３ａから下端にかけて二股に分岐しているため、各突起部１３の左右どちらからでも、指が掛かりやすくなっている。また、各突起部１３は、側面が滑らかに湾曲しているため、各突起部１３に指を掛けたとき、指が突起部１３の形状に沿ってぴったりと合いやすい。このため、開けるときも閉めるときも、各突起部１３に力を加えやすく、キャップ本体１１を回しやすい。このように、キャップ１０は、高齢者や子供、障害者など手の力が弱い者であっても、力を加えやすく、容易に開閉することができる。
【００１９】
キャップ１０は、３つの各突起部１３に親指、人差し指、中指を掛けることができ、各指の力を同時にキャップ本体１１に伝えることができる。このため、効率良く、容易に開閉することができる。また、キャップ１０は、キャップ本体１１の上端と下端との中間部１３ａで、キャップ本体１１の側面からの突出量が最大で、厚みが最も厚くなっているため、指の力を分散させずに、キャップ本体１１の中間部に集中させることができ、より容易に開閉することができる。また、キャップ本体１１の上端および下端で各突起部１３は側面と一致し、突出量が０で、各突起部１３に隅角を有しないため、隅角による指の怪我を防止することができる。特に、ペットボトルのキャップに用いられて自動販売機で取出口に落下してきたとき、子供が取出口に手を入れていたとしても、キャップ１０に隅角がないため、ひどいケガをさせにくく、また、突起部１３の破損を生じにくい。
【００２０】
キャップ１０は、各突起部１３がキャップ本体１１に対する補強作用を有しており、キャップ本体１１の強度を高めることができる。このため、キャップ本体１１に使用する材料を少なくしても、突起部１３がない場合と同等かそれ以上の強度を維持することができ、資源を節約することができる。また、突起部１３の厚さや形状、個数、配置などを工夫することにより、キャップ本体１１の大型化や重量化による使用材料の増加を最小限に抑えることができる。
【符号の説明】
【００２１】
１  容器
１０  キャップ
１１  キャップ本体
１２  固定部
１３  突起部
【図１】
0003172698.tif 000003